(57)【要約】      （修正有）【課題】コンクリート試験体を養生するための設置具に関し、特に、恒温室内においてコンクリート物性試験用の試験体を湿空状態を保持しながら、養生、保管するのに供する試験体の設置具を提供する。【解決手段】複数個の円筒状収納部１０をその側面で接触して連結したコンクリート試験体養生用設置具であって、各円筒状収納部１０を、上部円筒１と下部円筒２を収納部の高さ方向の側板３で連結し、下部円筒には、円筒の底面に並行に設置したコンクリート試験体の棒状の支持部４と底面からの切欠き５、を有し、前記円筒状収納部が３又は４個であり、その側面の接触による連結が、上部円筒間及び、下部円筒間の連結部でなされていることを特徴とする。【選択図】図１
0003185566.tif 000002
【実用新案登録請求の範囲】
【請求項１】
複数個の円筒状収納部をその側面で連結したコンクリート試験体養生用設置具であって、各円筒状収納部は、上部円筒と下部円筒を収納部の高さ方向の側板で連結し、下部円筒には、円筒の底面に並行に設置したコンクリート試験体の棒状の支持部と底面からの切欠き、を有することを特徴とするコンクリート試験体養生用設置具。
【請求項２】
前記円筒状収納部が３又は４個であり、その側面での連結が、上部円筒間、及び、下部円筒間の連結部でなされていることを特徴とする請求項１記載のコンクリート試験体養生用設置具。
【請求項３】
円筒状収納部の内径が、角柱供試体の角と円筒状収納部内面の最短距離が、それぞれの角に対して  ０．５ｍｍから１５ｍｍまでの長さを確保できる長さであり、前記支持部が２本であり、上部円筒の外側に緩衝材を設置したことを特徴とする請求項１又は請求項２に記載のコンクリート試験体養生用設置具。
【考案の詳細な説明】
【技術分野】
【０００１】
この考案は、コンクリート試験体を養生するための設置具に関し、特に、恒温室内においてコンクリート物性試験用の試験体を、湿空状態を保持しながら、養生、保管するのに供する試験体の設置具に関する。
【背景技術】
【０００２】
コンクリートを試験する際に、水和反応を阻害することないように乾燥を防いだ湿度状態で、しかも一定温度条件下で、養生することは、試験精度を確保する上で重要である。試験では、同一調合のコンクリート、及び各材齡ごとに複数本一組のコンクリート試験用の試験体を製作し、養生しながら保管して、各種測定試験に供している。前記試験体は例えば、一辺75ｍｍ正方形状の底面で高さが250ｍｍの角型（直方体）である。従来、前記コンクリート試験用の試験体を、恒温恒湿環境で養生しながら保管する方法として、試験体を、脱型後コンクリート表面が直接外気に触れて水分が散逸しないようにビニールシート等で試験体を密封して養生する封緘養生方法がある。また、恒温恒湿槽を使用するときは、夫々の試験体を一本ずつ個別に恒温恒湿槽の底部（すのこ）に平面的に並べて保管する（特許文献１）。或いは、アルカリシリカ反応性を判定する膨張試験（非特許文献１）では、水分の逸散を防ぐためにコンクリート試験体を、水を含ませた吸水紙を巻き、さらにビニール製袋に入れて養生している。
【先行技術文献】
【特許文献】
【０００３】
【特許文献１】登録実用新案第3006334号公報
【非特許文献】
【０００４】
【非特許文献１】「付３．JASS5N T-603 コンクリートの反応性試験方法」建築工事標準仕様書・同解説 JASS 5N 原子力発電施設における鉄筋コンクリート工事、日本建築学会
【考案の概要】
【考案が解決しようとする課題】
【０００５】
前記試験体を、脱型後コンクリート表面が直接空気に触れないようにビニールシート等で試験体を密封して封緘養生方法では水和反応進行に伴ってコンクリートに供給される水分が不足し、吸水紙等で水とともに養生する封緘養生方法では、吸水紙へアルカリ金属成分等が溶出してアルカリシリカ反応性を阻害し、また、複数一組の試験体間で養生条件が不均一となる虞があった。また、複数の試験体を同時に運搬等のハンドリングができないので、不便でもあった。また、恒温恒湿槽に、夫々の試験体を一本ずつ個別に恒温恒湿槽の底部（すのこ）に平面的に並べて保管する方法もハンドリングが不便で試験体間で養生条件が不均一となる虞があった。更に、試験体を底部の水を浅く張って、水分を逸散させることなく、かつ、水とコンクリート試験体と接触することなく溶脱を防いで、湿空状態をコンクリートに与えながら養生するためには、コンクリート試験体を湿空内に浮かせた状態で保持する必要があるが、従来の設置具は、コンクリートと接する面積がおおきく、試験体によって、養生条件が不均一となる虞があった。また、試験体にかなり重量があるので、これに対応するために堅牢な金属製であって、総重量が増加する傾向にあった。
【課題を解決するための手段】
【０００６】
本考案は、複数個の円筒状収納部をその側面で連結したコンクリート試験体養生用設置具であって、各円筒状収納部は、上部円筒と下部円筒を収納部の高さ方向の側板で連結し、下部円筒には、円筒の底面に並行に設置したコンクリート試験体の棒状の支持部と底面からの切欠き、を有することを特徴とするコンクリート試験体養生用設置具である。
【０００７】
前記円筒状収納部が３又は４個であり、その側面の接触による連結が、上部円筒間及び、下部円筒間の連結部でなされていることを特徴とするコンクリート試験体養生用設置具である。
【０００８】
円筒状収納部の内径が、角柱供試体の角と円筒状収納部内面の最短距離が、それぞれの角に対して 0.5mmから15mmまでの長さを確保できる内径とし、前記支持部が2本であり、上部円筒の外側に緩衝材を設置したことを特徴とするコンクリート試験体養生用設置具である。
【０００９】
本考案のコンクリート試験体養生用設置具（以下、養生用設置具。）で試験体を養生する場合、養生用設置具の円筒状収納部に角型試験体を長さ方向が深さ（上下）方向となるように棒状の支持部上にセットする。収納部が３個のときは、３個の試験体が回転対称にセットされる。セット後、試験体を収納した前記養生用設置具を底部に水を浅く張ったペール缶またはプラスチック製丸型容器にいれて密封すると、下部円筒の底面からの切欠きから水が供給される。
【００１０】
そして、ペール缶ごと、またはプラスチック製丸型容器ごと、試験体を収納した前記養生用設置具を恒温槽にいれることができる。養生用設置具は、樹脂製であっても十分な強度が保持できるので、軽量且つ堅牢で、一本４ｋｇ程度の試験体でも同時に複数個が収納できる。ペール缶またはプラスチック製丸型容器の中は、恒温養生槽で恒湿に保たれ、水の補給も不要である。水は、試験体に直接接触することなく、湿空状態である相対湿度１００％を保持して3個の試験体は、均一な環境下での養生が可能となった。また、試験体をコンパクトに収納でき、同時に複数個ハンドリングでき、作業効率も向上できる。アルカリシリカ反応性試験等が３個の試験体の測定統計処理をするときは、３個を用い、より精度をもとめるときは、これを正方形型に組んで４個用いることも好ましい。
【００１１】
本考案の養生用設置具は、収納部が円筒状であるため、コンクリートとの接触面積が極めて小さく、また、支持部も棒状としているため、コンクリートとの接触面積が極めて小さく、もってコンクリートへの湿空環境を妨げることがなく、また、設置具に結露が生じてもコンクリートに直接接触する可能性も極めて低い。
【００１２】
円筒状収納部の内径は、角柱供試体の角と円筒状収納部内面の最短距離が、それぞれの角に対して 0.5mmから15mmまでの長さを確保できる内径とすることが好ましい。0.5mm未満であると、コンクリート供試体の出し入れ時にコンクリート試験体隅角部を傷つける虞があり、15mm以上あると運搬時にコンクリートが大きく傾きコンクリート試験体を傷つける虞がある。
【００１３】
養生用設置具の支持部は、1本の棒状とすることが可能である。また、2本の棒状であり、かつ、中央部に棒を配置しないことがより好ましい。これは、養生設置具をアルカリシリカ反応性試験や、膨張材を調合した膨張コンクリートの試験に用いる場合、コンクリート試験体の長さ方向の上下端面の中央部に長さ測定用のプラグを埋め込む場合があり、このプラグが凸部となり接触を避けることができるためである。
【００１４】
本考案の養生用設置具は、単独で恒温養生槽に設置しても、また、前記ペール缶またはプラスチック製丸型容器の中に設置して、さらに、ペール缶ごと、またはプラスチック製丸型容器ごと、恒温養生槽に入れて用いてもよい。その場合、養生用設置具がペール缶またはプラスチック製丸型容器内で運搬中に大きく動かないことが望ましい。具体的には、上部円筒の外側と、ペール缶またはプラスチック製丸型容器の内面との間に緩衝材６を設置することが好ましい。より具体的には、上部円筒の外側にゴム足をペール缶またはプラスチック製丸型容器の内面の方向に向かって取り付ける。円筒状収納部が３つからなる場合は、ゴム足は３つとなり、内面との隙間が無くなり、安定してペール缶内またはプラスチック製丸型容器内に養生用設置具を設置することが可能となる。
【考案の効果】
【００１５】
本願考案では、吸水紙等で、アルカリ金属成分が溶出する等、養生条件が不均一の問題を解消し、複数の試験体を同時に運搬等のハンドリングができ、更に、コンクリートと接する面積が小さい状態で、コンクリート試験体を湿空内に浮かせた状態で保持でき、試験体による、養生条件の均一性を確保できた。また、かなり重量がある試験体に対しても堅牢で軽量である。
【図面の簡単な説明】
【００１６】
【図１】本考案の一実施例で養生用設置具100を示す正面図、平面図及び右側面図である。
【図２】上記一実施例を左上方から俯瞰した参考図である。
【図３】上記養生用設置具100に、３本のコンクリート試験体200を収納し、ペール缶300に装入した模式図である。
【図４】1個の円筒状収納部10にコンクリート試験体200を収納した様子を示す模式図である。
【図５】３本のコンクリート試験体200を収納した養生用設置具100を、水33を張ったペール缶300に設置した様子を示す模式図である。
【考案を実施するための形態】
【００１７】
本考案の一実施例を図１乃至図４により説明する。
図１（ａ）、（ｂ）、（ｃ）は、それぞれ本考案の一実施例で養生用設置具100を示す正面図、平面図及び右側面図である。底面図は、平面図を上下に折り返した図面であり、左側面図は左右に折り返した図面であるので、図示していない。
【００１８】
図２は、上記実施例を左上方から俯瞰した参考図である。
本考案の養生用設置具100は3個の円筒状収納部10をその側面で接触して連結したコンクリート試験体養生用設置具であって、各円筒状収納部10を、上部円筒1と下部円筒2を収納部の高さ方向の側板3で連結し、下部円筒2には、円筒の底面に並行に設置したコンクリート試験体の棒状の支持部4と底面からの切欠き5、を有する。支持部４は、コンクリート試験体の側面の両サイドに凸部があり、膨張長さ計測の目安としているので、これが当たらない位置に取り付ける。
【００１９】
養生用設置具100の材料は、試験体を収納するのに耐える強度があれば自由に選択してよく、ポリ塩化ビニル等の樹脂製で十分である。3個の円筒状収納部10は、連結部を高温融着や、ジクロルエチレン等の溶媒で溶着して作製できる。また、ビス止めを用いても良い。アクリル樹脂、透明ポリ塩化ビニル樹脂等の材料で製作すると内部が透けて見えるので、試験体の収納状況の点検、試験体に記載した試験日の確認や養生状態の監視等が容易となる。
【００２０】
本実施例では、コンクリート試験体200：75ｍｍｘ75ｍｍｘ250mmを収納するべく、上部円筒１、下部円筒２は、ポリ塩化ビニル製薄肉管VU100で、 外径114mm、厚さ3.1mmを用いた。側板３は、ポリ塩化ビニル製であり、支持部４は、塩化ビニル製棒状体  外径φ10mmである。
【００２１】
図３は養生用設置具100に、３本のコンクリート試験体200を収納し、収納後、底部に水を浅く張ったペール缶300に装着した模式図であり、底面図の形式で図示する。
【００２２】
図４は1個の円筒状収納部10にコンクリート試験体200を収納した様子を示す模式図であり、側面図の形式で図示する。コンクリート試験体20と円筒状収納部10には、1mm程度の隙間が設けられる。側板３設置の間隔は広く、適当な通気のための空間が開くので均一環境が保たれる。また、コンクリート試験体200は、棒状の支持部４との線接触のみで支持されるので、安定的に、余分な応力ストレスを受けることなく養生が可能となった。
【００２３】
図5は３本のコンクリート試験体200を収納した養生用設置具100を、水33を張ったペール缶300に設置した様子を示す模式図である。ペール缶蓋31をした後、ペール缶300ごと、恒温養生槽にいれて、養生することができる。
【産業上の利用可能性】
【００２４】
本願により、アルカリ骨材試験用コンクリート試験体が効率よく、均一条件下で養生できることとなり、世界的な試験標準器具として適している。
【符号の説明】
【００２５】
１：上部円筒
２：下部円筒
３：側板
４：支持部
５：切欠き
６：緩衝材
１０：円筒状収納部
１００：養生用設置具
２００：コンクリート試験体
３１：ペール缶蓋
３２：ペール缶本体部
３３：水
３００：ペール缶
【図１】
0003185566.tif 000003
【図２】
0003185566.tif 000004
【図３】
0003185566.tif 000005
【図４】
0003185566.tif 000006
【図５】
0003185566.tif 000007